(57)【要約】  本開示は、換気装置のマウントシステムに関する。このシステムは、その上に換気装置を取り付けるように構成される換気装置のマウント、スタンドにより担持されるように構成されるプラットフォーム、及び換気装置のマウントをプラットフォームに固定するように構成される解除可能なロックアセンブリを含む。幾つかの実施例において、ロックアセンブリは、ロック位置と解除位置との間を移動するように構成される。幾つかの実施例において、換気装置のマウントは、ロックアセンブリがロック位置から解除位置に移動するとき、プラットフォームから解除可能である。
2020525073.tif 000002
【特許請求の範囲】
【請求項１】
その上に換気装置を取り付けるように構成される換気装置のマウント、
スタンドにより担持されるように構成されるプラットフォーム、及び
前記換気装置のマウントを前記プラットフォームに固定するように構成される解除可能なロックアセンブリ
を有する換気装置のマウントシステムにおいて、前記ロックアセンブリは、ロック位置と解除位置との間を移動するように構成される、前記換気装置のマウントは、前記ロックアセンブリが前記ロック位置から前記解除位置に移動するとき、前記プラットフォームから解除可能である、換気装置のマウントシステム。
【請求項２】
前記スタンドは、ロールスタンド又は車椅子を有する、請求項１に記載の換気装置のマウントシステム。
【請求項３】
前記プラットフォームは、第１の面と、前記第１の面の反対側にある第２の面とを持つ、及び前記ロックアセンブリは、前記第２の面上に配されるバネ付きプランジャを有する、請求項１に記載の換気装置のマウントシステム。
【請求項４】
前記プラットフォームに対し略垂直の力が前記プランジャに加えられるのに応じて、前記プランジャは、前記ロック位置から前記解除位置に移動するように構成される、請求項３に記載の換気装置のマウントシステム。
【請求項５】
前記ロックアセンブリはさらに、前記第１の面上において、互いに対しある角度で配される一対のフランジを有する、請求項３に記載の換気装置のマウントシステム。
【請求項６】
前記換気装置のマウントは、第１の側と、前記第１の側の反対側にある第２の側とを有する、前記換気装置のマウントの表面は、前記第１の側及び前記第２の側の上に、窪み部を有する、並びに前記窪み部は、前記換気装置のマウントが前記プラットフォームに固定されるように、前記フランジと係合する、請求項５に記載の換気装置のマウントシステム。
【請求項７】
前記プラットフォームは、１つ以上のネジ穴を有する、前記プラットフォームは、前記プラットフォームの１つ以上のネジ穴から解除可能なように突出するように構成される１つ以上のネジによって前記スタンドと解除可能なように結合されるように構成される、前記換気装置のマウントは、１つ以上のネジ穴を有する、及び前記換気装置のマウントは、前記換気装置のマウントのネジ穴から解除可能なように突出している１つ以上のネジによって前記換気装置に解除可能なように結合されるように構成される、請求項１に記載の換気装置のマウントシステム。
【請求項８】
前記ロックアセンブリは、ロックを解除するために、前記ロック位置から解除位置に手動で動かされる手動のアクチュエータを有する、請求項１に記載の換気装置のマウントシステム。
【請求項９】
スタンドの上に換気装置を取り付けることを容易にする方法において、前記方法は、
その上に換気装置を取り付けるように構成される換気装置のマウントを設けるステップ、
スタンドにより担持されるように構成されるプラットフォームを設けるステップ、及び
解除可能なロックアセンブリによって、前記換気装置のマウントを前記プラットフォームに固定するステップ
を有し、前記ロックアセンブリは、ロック位置と解除位置との間を移動するように構成される、前記換気装置のマウントは、前記ロックアセンブリが前記ロック位置から前記解除位置に移動するとき、前記プラットフォームから解除可能である、方法。
【請求項１０】
前記スタンドは、ロールスタンド又は車椅子を有する、請求項９に記載の方法。
【請求項１１】
前記プラットフォームは、第１の面と、前記第１の面の反対側にある第２の面とを持つ、及び前記ロックアセンブリは、前記第２の面上に配されるバネ付きプランジャを有する、請求項９に記載の方法。
【請求項１２】
前記プラットフォームに対し略垂直の力が前記プランジャに加えられるのに応じて、前記プランジャは、前記ロック位置から前記解除位置に移動するように構成される、請求項１１に記載の方法。
【請求項１３】
前記ロックアセンブリはさらに、前記第１の面上において、互いにある角度で配される一対のフランジを有する、請求項１１に記載の方法。
【請求項１４】
前記換気装置のマウントは、第１の端部と、前記第１の端部の反対側にある第２の端部とを有する、前記換気装置のマウントは、前記第１の端部に配される少なくとも１つの穴を有する、及び前記換気装置のマウントが前記フランジに係合されるのに応じて、前記バネ付きプランジャが、前記換気装置のマウントを前記プラットフォームに固定するために、前記少なくとも１つの穴と解除可能なように結合されるように構成される、請求項１３に記載の方法。
【請求項１５】
前記プラットフォームは、１つ以上のネジ穴を有する、前記プラットフォームは、前記プラットフォームの１つ以上のネジ穴から解除可能なように突出するように構成される１つ以上のネジによって前記スタンドと解除可能なように結合されるように構成される、前記換気装置のマウントは、１つ以上のネジ穴を有する、及び前記換気装置のマウントは、前記換気装置のマウントのネジ穴から解除可能なように突出している１つ以上のネジによって前記換気装置に解除可能なように結合されるように構成される、請求項１２に記載の方法。
【発明の詳細な説明】
【技術分野】
【０００１】
本特許出願は、米国特許法第１１９条の下、２０１７年６月３０日に出願された米国仮特許出願第６２／５２７，０７１号の優先権を主張し、その内容は、参照することにより本明細書に組み込まれる。
【背景技術】
【０００２】
本開示は、換気装置のマウントシステムに関する。
【発明の概要】
【発明が解決しようとする課題】
【０００３】
病院又は家の中における治療の移動性を助けるために、換気装置がロールスタンド上にしばしば取り付けられることがよく知られている。換気装置は、異なる取り付け方法を含み、各取り付け方法は、特定のロールスタンドのために特に設計されている。現在の取り付け方法は、十分な安定性を与えていない、又はロールスタンドの上に換気装置を取り付けるのを難しいものにする。これらの及び他の欠点が存在している。
【課題を解決するための手段】
【０００４】
それ故に、本開示の１つ以上の態様は、換気装置のマウントシステムに関する。このシステムは、その上に換気装置を取り付けるように構成される換気装置のマウントを有する。このシステムは、スタンドにより担持されるように構成されるプラットフォームを有する。このシステムは、前記換気装置のマウントをプラットフォームに固定するように構成される解除可能なロックアセンブリを有する。このロックアセンブリは、ロック位置と解除位置との間を移動するように構成される。換気装置のマウントは、このロックアセンブリがロック位置から解除位置に移動するとき、プラットフォームから解除可能である。
【０００５】
本開示のさらにもう１つの態様は、スタンドの上に換気装置を取り付けることを容易にするための方法に関する。この方法は、その上に換気装置を取り付けるように構成される換気装置のマウントを設けるステップを有する。この方法は、スタンドにより担持されるように構成されるプラットフォームを設けるステップを有する。前記方法は、解除可能なロックアセンブリを用いて前記換気装置のマウントをプラットフォームに固定するステップを有する。ロックアセンブリは、ロック位置と解除位置との間を移動するように構成される。この換気装置のマウントは、ロックアセンブリがロック位置から解除位置に移動するとき、プラットフォームから解除可能である。
【０００６】
本開示のさらにもう１つの態様は、スタンドの上に換気装置を取り付けることを容易にするためのシステムに関する。このシステムは、その上に換気装置を取り付けるように構成される換気装置のマウント手段を有する。このシステムは、スタンドにより担持されるように構成されるプラットフォーム手段を有する。このシステムは、換気装置のマウントをプラットフォームに固定するように構成される解除可能なロック手段を有する。換気装置のマウント手段は、ロック手段がロック位置から解除位置に移動するとき、プラットフォーム手段から解除可能である。
【０００７】
構成物の関連する要素の動作方法及び機能、並びに製造部品と製造の経済性との組み合わせと同じく、本開示のこれら及び他の目的、特徴並びに特性は、付随する図面を参照して、以下の説明及び添付の請求項を考慮するとより明白となり、これらの全てが本明細書を形成している。様々な図面において、同様の参照番号は対応する部品を示している。しかしながら、これら図面は単に例証及び説明を目的とするものであり、本発明の境界を規定するものとは意図されないことは明白に理解されるべきである。明細書及び請求項に用いられるように、文脈上明白に他の意味で述べている場合を除き、複数あることを述べなくとも、それらが複数あることも含んでいる。
【図面の簡単な説明】
【０００８】
【図１】１つ以上の実施例に従う、換気装置のマウントシステムの斜視図を示す。
【図２】１つ以上の実施例に従う、１つ以上のねじを用いて換気装置のマウントに解除可能で結合されている換気装置を示す。
【図３】１つ以上の実施例に従う、スタンドにより担持されているプラットフォームを示す。
【図４】１つ以上の実施例に従う、車椅子と結合されるように構成されるプラットフォームを示す。
【図５】１つ以上の実施例に従う、車椅子と結合されるプラットフォームを示す。
【図６】１つ以上の実施例に従う、フランジのアンダーカットと係合されている換気装置のマウントのマウントの窪み部を示す。
【図７】１つ以上の実施例に従う、ロールスタンドの上に取り付けられている換気装置を示す。
【図８】１つ以上の実施例に従う、車椅子に取り付けられている換気装置を示す。
【図９】１つ以上の実施例に従う、スタンドの上に換気装置を取り付けることを容易にするための方法を示す。
【発明を実施するための形態】
【０００９】
明細書において、特に文脈上はっきりと述べていない限り、複数あると述べていなくても、それらが複数あることを含む。明細書において、２つ以上の部品又は構成要素が"結合される"と述べることは、連動している限り、これらの部品が直接又は間接的、すなわち１つ以上の中間部品若しくは構成要素を介しての何れかにより接合される又は共に動作することを意味している。明細書において、"直接結合される"は、２つの要素が互いに直に接していることを意味している。明細書において、"固定して結合される"又は"固定される"は、２つの構成要素が互いに対し一定方向を維持している間、１つとして移動するように結合されることを意味している。
【００１０】
明細書において、"ユニタリ(unitary)"という言葉は、構成要素が単一ピース又は単一ユニットとして作られることを意味している。すなわち、別々に作られ、その後ユニットとして連結される部分を含んでいる構成要素は、"ユニタリ"な構成要素又は本体ではない。明細書において、２つ以上の部品又は構成要素が互いに"係合する"と述べることは、これらの部品が互いに直接的又は１つ以上の中間部品若しくは構成要素を介して間接的にの何れかにより力を及ぼし合うことを意味している。明細書において、"数字"は、１若しくは１よりも大きい整数（すなわち複数）を意味する。
【００１１】
明細書において、例であり限定ではない方向の表現は、頂部、底部、左側、右側、上方、下方、前方、後方及びそれらの派生語は、図面に示される要素の方位に関連し、特に明瞭に言わない限り、請求項を制限しない。
【００１２】
現在の取り付け方法は、換気装置のマウントがその間をスライドする、プレート上に配される一対の平行なフランジを含む。そのようなマウントシステムは、取り付け工程中に十分な視認性をユーザに与えない。そのようなものとして、これらのシステムは、フランジと換気装置のマウントとの正確な両手による位置合わせ（アライメント）を必要とする。他の取り付け方法は、プラットフォームから突出している１つ以上のピンの上に直接換気装置を置くことを含む。これらの取り付けシステムは、換気装置の垂直方向における分離を起こしやすい。
【００１３】
図１は、１つ以上の実施例に従う、換気装置のマウントシステム１０の斜視図を示す。換気装置のマウントシステム１０は、換気装置のマウント２０、プラットフォーム３０、一対のフランジ４０及びバネ付きプランジャ５０を含むロックアセンブリ、及び／又は他の構成要素を有する。換気装置のマウントシステム１０は、（ｉ）換気装置のマウント２０をフランジ４０とスライド自在に係合する、及び（ｉｉ）バネ付きプランジャ５０によってマウント２０をプラットフォーム３０に解除可能なように固定することにより、スタンド６０の上への換気装置の便利な取り付けを容易にする。
【００１４】
幾つかの実施例において、換気装置のマウント２０は、その上に換気装置２２を取り付けるように構成される。幾つかの実施例において、換気装置のマウント２０は、１つ以上のネジ穴２４を有する。幾つかの実施例において、換気装置のマウント２０は、換気装置のマウントのネジ穴２４から解除可能なように突出している１つ以上のネジ２６によって換気装置２２に解除可能なように結合されるように構成される。限定ではない例として、図２は、１つ以上の実施例に従って、１つ以上のネジ２６によって換気装置のマウント２０に解除可能なように結合されている換気装置２２を示す。幾つかの実施例において、換気装置のマウント２０は、熱可塑性（例えばポリオキシメチレン(Polyoxymethylene)及び／又は他の材料を有する。幾つかの実施例において、熱可塑性材料は、デルリン(Delrin)及び／又は他のポリマー及び材料を含む。
【００１５】
図１に戻り、プラットフォーム３０は、スタンド６０により担持されるように構成される。幾つかの実施例において、プラットフォーム３０は、１つ以上のネジ穴３２を有する。幾つかの実施例において、プラットフォーム３０は、１つ以上のプラットフォームのネジ穴３２から解除可能なように突出する１つ以上のネジによってスタンド６０と解除可能なように結合されるように構成される。幾つかの実施例において、１つ以上のネジ穴３２は、プラットフォーム３０の重心に配される。限定ではない例として、図３は、１つ以上の実施例に従って、スタンド６０により担持されるプラットフォーム３０を示す。幾つかの実施例において、スタンド６０はロールスタンド及び／又は他のスタンドを有する。幾つかの実施例において、プラットフォーム３０は、アルミニウム及び／又は他の材料を有する。
【００１６】
幾つかの実施例において、スタンド６０は、車椅子を有する、幾つかの実施例において、プラットフォーム３０は、車椅子の一部と係合するように構成される留め具面(stop surface)３６を有する。限定ではない例として、図４は、１つ以上の実施例に従って、車椅子と結合されるように構成されるプラットフォーム３０を示す。幾つかの実施例において、留め具面３６は、プラットフォーム３０に対し略垂直である。幾つかの実施例において、１つ以上のネジ穴３２は、プラットフォーム３０が１つ以上のネジ穴３２から解除可能なように突出するように構成される１つ以上のネジ３４によって車椅子と解除可能なように結合されるように、留め具面上に配される。限定ではない例として、図５は、１つ以上の実施例に従って、車椅子７０と結合されるプラットフォーム３０を示す。幾つかの実施例において、プラットフォーム３０は、プラットフォーム３０と留め具面３６との間に配される１つ以上のブラケット３８を有する。１つ以上のブラケット３８は、留め具面３６をプラットフォーム３０に固定するように構成される。幾つかの実施例において、１つ以上のブラケット３８は、換気装置がプラットフォーム３０の上に取り付けられるに応じて、留め具面３６とプラットフォーム３０との間の角度を一定に保つように構成される。
【００１７】
図１に戻り、システム１０は、換気装置のマウント２０をプラットフォーム３０に固定するように構成される解除可能なロックアセンブリを有する。幾つかの実施例において、このロックアセンブリは、ロックを解除するために、ロック位置から解除位置に手動で動かされる手動のアクチュエータを有する。幾つかの実施例において、このアクチュエータは、ロックアセンブリが解除されるのを容易にする手動で係合可能及び移動可能な構造を有する。幾つかの実施例において、手動のアクチュエータは、バネ付きプランジャ５０を有する。幾つかの実施例において、プラットフォーム３０は、第１の面（例えば上面）及びこの第１の面の反対側にある第２の面（例えば底面）を持つ。幾つかの実施例において、プランジャ５０は、第２の面上に配される。幾つかの実施例において、プランジャ５０は、ロック位置と解除位置との間を移動するように構成される。幾つかの実施例において、換気装置のマウント２０は、プランジャ５０がロック位置から解除位置に移動するとき、プラットフォーム３０から解除可能である。幾つかの実施例において、換気装置のマウント２０は、第１の端部及びこの第１の端部の反対側にある第２の端部を有する。幾つかの実施例において、換気装置のマウント２０は、第１の端部に配される少なくとも１つの穴２８を有する（図２参照）。幾つかの実施例において、換気装置のマウント２０が（以下に説明される）フランジ４０と係合するのに応じて、バネ付きプランジャ５０は、換気装置のマウント２０をプラットフォーム３０に固定するために、少なくとも１つの穴２８と解除可能なように結合するように構成される。幾つかの実施例において、プラットフォーム３０に対し略垂直な力がプランジャ５０に加えられるのに応じて、プランジャ５０は、ロック位置から解除位置に移動するように構成される。図３を参照すると、プラットフォーム３０と係合している間、換気装置のマウント２０がさらに中に又は外にスライドするのを防ぐために、緩和した状態（例えば閉じた位置）のプランジャ５０がプラットフォーム３０から突出する。この例において、プランジャ５０がけん引力により伸ばされた状態となるのに応じて、換気装置のマウント２０は、プラットフォーム３０との係合が解かれる。幾つかの実施例において、プランジャ５０は、ステンレス鋼及び／又は他の材料から構成される。
【００１８】
図１に戻り、解除可能なロックアセンブリは、プラットフォーム３０の第１の面上に配される一対のフランジ４０を有する。幾つかの実施例において、フランジ４０は、換気装置のマウント２０とフランジ４０との間におけるスライド自在な係合が容易であるように互いに離間されている。幾つかの実施例において、フランジ４０は、プラットフォーム３０の第１の側（例えば右側）及びこの第１の側の反対側にある第２の側（例えば左側）に配される。幾つかの実施例において、プラットフォーム３０と係合している間、換気装置のマウント２０がさらに中にスライドするのを防ぐために、フランジ４０は互いにある角度（例えば平行ではない）で配される。幾つかの実施例において、前記対のフランジ４０の個々のフランジは、金属の固体片から構成される。幾つかの実施例において、前記対のフランジ４０の個々のフランジは、連続する及び／又は断続的に互いに離間される複数の金属片から構成される。幾つかの実施例において、フランジ４０は、アルミニウム及び／又は他の材料から構成される。
【００１９】
幾つかの実施例において、換気装置のマウント２０は、第１の側（例えば右側）及びこの第１の側の反対側にある第２の側（例えば左側）を有する。幾つかの実施例において、換気装置のマウント２０の表面は、第１の側及び第２の側の上に窪み部分を有する。幾つかの実施例において、前記対のフランジ４０の個々のフランジは、プラットフォーム３０の中心を向いたアンダーカット（例えば窪み部分）を有する。幾つかの実施例において、換気装置のマウントの窪み部分は、換気装置のマウント２０がプラットフォーム３０に固定されるように、フランジのアンダーカットと係合する。限定ではない例として、図６は、１つ以上の実施例に従う、フランジ４０のアンダーカットと係合されている換気装置のマウント２０の窪み部分を示す。図６に示されるように、換気装置のマウント２０は、フランジ４０のアンダーカット部６４０内に収容されている換気装置のマウント２０の窪み部分６２０によってフランジ４０とスライド自在に係合するように構成される。
【００２０】
図７は、１つ以上の実施例に従う、ロールスタンドの上に取り付けられている換気装置２２を示す。図７に示されるように、換気装置２２は、換気装置のマウント２０の上に取り付けられる、プラットフォーム３０は、ロールスタンドのポールの上に取り付けられる及び換気装置のマウント２０はプラットフォーム３０に固定される。
【００２１】
図８は、１つ以上の実施例に従う、車椅子に取り付けられている換気装置２２を示す。図８に示されるように、換気装置は、換気装置のマウント２０の上に取り付けられる、留め具面３６は、車椅子の背面に取り付けられる、及び換気装置のマウント２０はプラットフォーム３０に固定される。
【００２２】
図９は、１つ以上の実施例に従う、スタンドの上に換気装置を取り付けるのを容易にする方法９００を示す。以下に示される方法９００の動作は例示的である。幾つかの実施例において、方法９００は、記載されていない１つ以上の追加の動作を用いて、及び／又は説明した動作の１つ以上を用いずに達成されてよい。加えて、図９に示される及び以下に記載される方法９００の動作の順番は、限定を意図しない。
【００２３】
動作９０２において、その上に換気装置を取り付けるように構成される換気装置のマウントが設けられる。幾つかの実施例において、動作９０２は、（図１に示される及び本明細書に記載される）換気装置のマウント２０と同じ又は類似の換気装置のマウントにより行われる。
【００２４】
動作９０４において、スタンドにより担持されるように構成されるプラットフォームが設けられる。幾つかの実施例において、動作９０４は、（図１に示される及び本明細書に記載される）プラットフォーム３０と同じ又は類似のプラットフォームにより行われる。
【００２５】
動作９０６において、解除可能なロックアセンブリを用いて、換気装置のマウントがプラットフォームに固定される。幾つかの実施例において、ロックアセンブリは、ロック位置と解除位置との間を移動する。幾つかの実施例において、換気装置のマウントは、ロックアセンブリがロック位置から解除位置に移動するとき、プラットフォームから解除可能である。幾つかの実施例において、動作９０６は、（図１に示される及び本明細書に記載される）フランジ４０及びプランジャ５０と同じ又は類似のロックアセンブリにより行われる。
【００２６】
請求項において、括弧の中に置かれる如何なる参照符号も、その請求項を限定するとは考えない。"有する"又は"含む"という言葉は、請求項に挙げられる以外の要素又はステップの存在を排除しない。幾つかの手段を列挙している装置の請求項において、これらの手段の幾つかが、ハードウェアの同一アイテムにより具現化されてもよい。要素が複数あることを述べなくても、その要素が複数あることを排除しない。幾つかの手段を列挙している如何なる装置の請求項において、これらの手段の幾つかがハードウェアの同一アイテムにより具現化されてもよい。幾つかの要素が互いに異なる従属請求項に挙げられているという単なる事実は、それらの要素が組み合わされて使用されないことを示していない。
【００２７】
本発明は、最も実用的及び好ましい実施例であると現在考えられるものに基づいて、例示を目的に詳細に記載されていたとしても、そのような詳細は単に例示が目的であること、及び本発明は開示される実施例に限定されるのではなく、それどことか付随する請求項の主旨及び範囲内にある修正案及び等価な配列にも及んでいると意図されると理解されるべきである。例えば、本発明は、可能な限り、何れかの実施例の１つ以上の特徴が他の何れかの実施例の１つ以上の特徴と組み合わされることも考慮していると理解されるべきである。
【図１】
2020525073.tif 000003
【図２】
2020525073.tif 000004
【図３】
2020525073.tif 000005
【図４】
2020525073.tif 000006
【図５】
2020525073.tif 000007
【図６】
2020525073.tif 000008
【図７】
2020525073.tif 000009
【図８】
2020525073.tif 000010
【図９】
2020525073.tif 000011
【国際調査報告】
2020525073.tif 000012
2020525073.tif 000013